(57)【特許請求の範囲】
【請求項１】
洗い場床領域の全部若しくは一部を多数に区分することで得られた区画毎に、平面視で線状の頂部を有する同一形状の隆起部が形成された樹脂製防水パンからなる浴室の床構造において、
前記区画は、当該区画を仮想的に面方向に回転したときに頂部の位置が変わる形状に設けられ、隣接する区画に対して異なる向きに配置されていることを特徴とする浴室の床構造。
【請求項２】
前記隆起部には、前記洗い場領域内であって各区画の周囲に形成された溝をバイパスする通路が形成されていることを特徴とする請求項１記載の浴室の床構造。
【請求項３】
前記区画は、一辺の長さが３ｍｍ〜３０ｍｍとなる略方形状に設定され、前記隆起部は、最大高さが０．１ｍｍ〜３ｍｍに設定されていることを特徴とする請求項１又は２記載の浴室の床構造。
【発明の詳細な説明】
【０００１】
【発明の属する技術分野】
本発明は浴室の床構造に係り、更に詳しくは、洗い場床領域の乾燥性能を向上させ、且つ、当該洗い場床領域を滑り難くすることのできる浴室の床構造に関する。
【０００２】
【従来の技術】
公知の浴室ユニットは、その底部側に樹脂製の防水パンが設けられており、この防水パン上には、浴槽が設置され、その残った領域が洗い場床領域となっている。この洗い場床領域には、入浴した日の翌朝などに浴室に入っても足が濡れたりしないように、またカビ等の汚れを付き難くするため、入浴後に表面側に残った湯水を乾燥し易くする構造が採用されており、当該構造としては、略平坦となる洗い場床領域の上面に親水塗料の塗布等の親水化処理を施し、洗い場床領域に残った湯水の水膜化を促進するものが知られている。
【０００３】
【発明が解決しようとする課題】
しかしながら、前述した床構造にあっては、湯水の水膜化を促進するために洗い場床領域を略平坦に構成するので、洗い場床領域上が比較的滑り易いという不都合がある。
【０００４】
【発明の目的】
本発明は、このような不都合に着目して案出されたものであり、その目的は、洗い場床領域の乾燥性能を向上させ、且つ、当該洗い場床領域を滑り難くすることができる浴室の床構造を提供することにある。
【０００５】
【課題を解決するための手段】
前記目的を達成するため、本発明は、洗い場床領域の全部若しくは一部を多数に区分することで得られた区画毎に、平面視で線状の頂部を有する同一形状の隆起部が形成された樹脂製防水パンからなる浴室の床構造において、
前記区画は、当該区画を仮想的に面方向に回転したときに頂部の位置が変わる形状に設けられ、隣接する区画に対して異なる向きに配置される、という構成を採っている。このような構成により、前述した目的を達成しようとしたものである。
【０００７】
【発明の実施の形態】
本発明における隆起部には、前記洗い場領域内であって各区画の周囲に形成された溝をバイパスする通路が形成される、という構成を採ることが好ましい。このように構成することで、隆起部の存在による排水規制を低減して湯水をスムーズに流すことができ、当該隆起部付近に湯水が溜まることを防止することができる。
【０００８】
更に、前記区画は、一辺の長さが３ｍｍ〜３０ｍｍとなる略方形状に設定され、前記隆起部は、最大高さが０．１ｍｍ〜３ｍｍに設定される、という構成を採用するとよい。区画の一辺の長さが３ｍｍ未満の場合には、頂部から排水溝に向う面の斜度が急となって足裏が痛くなりやすく、３０ｍｍを超えると、各区画上に残存してしまう水の大きさが大きくなって乾き難くなるという不都合がある。また、隆起部の最大高さが０．１ｍｍ未満の場合には、足裏に十分な摩擦抵抗を付与することができず、３ｍｍを超えると、足裏が痛くなりやすいという問題がある。
【０００９】
なお、本明細書において、「洗い場床領域」とは、浴室を構成する床面領域のうち浴槽が置かれる領域を除く床面領域を意味する。
【００１０】
【実施例】
以下、本発明の実施例について図面を参照しながら説明する。
【００１１】
図１には、本発明に係る浴室の床構造が適用された浴室ユニットの床面部分の概略平面図が示されている。この図において、床面１０は、樹脂製の防水パンの上面側に形成されたものであり、浴槽１１が置かれる図１中左側の浴槽設置領域１３と、同図中右側に位置する洗い場床領域１４とにより構成されている。
【００１２】
洗い場床領域１４は、図１中上端側略中央に形成された排水口１５と、同図中上下左右方向にそれぞれ延びる排水路としての複数条の溝１６と、これら溝１６によって区分された多数の区画１７とを備えて構成されている。ここで、溝１６は、その幅が０．５ｍｍ〜３０mm程度に設定されていると共に、排水口１５へ向かうなだらかな水勾配が設けられている。一方、各区画１７は、一辺の長さが３ｍｍ〜３０ｍｍ程度、より好ましくは、５ｍｍ〜２０ｍｍ程度となる相互に略同一サイズの平面視略方形状に設けられ、全体として升目状をなすようになっている。
【００１３】
各区画１７は、図２及び図３に示されるように、下側に位置する平板状のベース部１８と、このベース部１８から上方に隆起する隆起部２０とを備えて構成されている。これら区画１７は、前記ベース部１８の周囲に形成された溝１６の底部を介して隣接する区画１７に連なる構造となっている。
【００１４】
前記隆起部２０は、平面視で略線状をなす頂部２１と、この頂部２１を挟んだ両側に位置する二つの湾曲面２３，２３と、頂部２１の延出方向に沿う両端側に位置する略鉛直面状のサイド面２４，２４とを備えて構成されている。前記頂部２１は、本実施例では直線状に延びており、区画１７の中央を除く領域に偏って設けられている。これにより、頂部２１を挟んだ湾曲面２３，２３の領域は、相互に異なる傾斜角度を備えた傾斜面となり、各区画１７は、当該区画１７を面方向に仮想的に回転して見たときに頂部２１の位置が変わる形状に設けられることになる。ここで、隆起部２０の最大高さＨ（図３参照）、すなわち、ベース部１８の上端から頂部２１までの高さＨは、０．１ｍｍ〜３ｍｍ程度、より好ましくは、０．３ｍｍ〜１ｍｍ程度に設定されている。
【００１５】
以上のように構成された各区画１７は、図４に示されるように、隣接する区画１７に対して頂部２１の延出方向が異なる向きに配置されており、これによって、頂部２１が洗い場床領域１４内でランダムに存在することになる。
【００１６】
このように構成された洗い場床領域１４に湯水を流すと、各区画１７に頂部２１が平面視で線状となる隆起部２０が設けられているため、各区画１７上に流れた湯水は、それぞれの湾曲面２３，２３を伝って溝１６に流れ易くなり、区画１７上に湯水が残り難くなって洗い場床領域１４を早く乾燥させることが可能になる。
【００１７】
次に、本発明の一効果を実証するために行った実験結果について説明する。
この実験は、図４に示す前記実施例の洗い場床領域１４と、この洗い場床領域１４の各区画１７の上面を平坦面状とした洗い場床領域（比較例１）と、図５に示されるように、前記実施例に対して各区画１７の配置方向を略同一方向に変えた洗い場床領域（比較例２）とについて行った。
【００１８】
前記実験としては、昭和６１年８月に開催された日本建築学会の学術講演梗概集（文献）を参照しながら次のように行った。すなわち、上方から８０ｋｇの荷重を付加した文献のすべり片を各洗い場床領域において数値８０ｋｇでＡ方向とＢ方向の二方向に引っ張ったときの最大引っ張り荷重をそれぞれ測定したものである。ここで、Ａ方向は、図４及び図５における排水方向とし、Ｂ方向は、Ａ方向と直交する方向とした。また、この測定は、各洗い場床領域を乾燥させた状態と、各洗い場床領域に石鹸水を塗布した場合の両方について行った。
【００１９】
この結果、図６に示されるように、本実施例に係る洗い場床領域１４は、比較例１の洗い場床領域に対しては大幅に滑り難くなることが立証された。また、比較例２の洗い場床領域に対しては、Ａ方向については若干滑り易くなるものの、Ｂ方向において極端に滑り易くなる比較例２と比べてどちらの方向においても十分に滑り難くなり、足の向きが何れの方向に向いても当該足裏に対する十分な摩擦抵抗を付与できることが立証された。これは、洗い場床領域１４内での頂部２１のランダム配置が要因となっていることの結果である。
【００２０】
従って、このような実施例によれば、洗い場床領域１４の乾燥性能を高めつつ、当該洗い場床領域１４を滑り難くできるという効果を得る。
【００２１】
なお、図７に示されるように、一部の区画１７の隆起部２０に、頂部２１を横切る方向に延びるとともに、溝１６をバイパスする通路として作用する溝状のバイパス路２８を設けることもできる。このバイパス路２８は、排水方向に交差する方向に頂部２１が配置された区画１７に設けられており、排水口１５への排水方向に沿って延びている。
【００２２】
また、隆起部２０としては、前記実施例の形状に限定されず、区画１７の中央を除く領域に平面視で線状の頂部２１が設けられ、当該頂部２１が洗い場床領域１４内でランダムに配置されている限りにおいて、種々の形状とすることができる。例えば、前記実施例のサイド面２４を略鉛直面状とせずに、上部に向かって内側に湾曲する湾曲面状としてもよい。また、図８に示されるように、前記湾曲面２３に代えて略平坦面状の傾斜面３０により略テント状とすることもできる。
【００２３】
更に、前述した洗い場床領域１４の床構造は、当該洗い場床領域１４の略全域で採用する他、特定の一部分のみで採用することもできる。
【００２４】
また、前記湾曲面２３及び傾斜面３０，３１の表面側に、所定の親水化処理を施してもよく、このようにすると、洗い場床領域１４の乾燥性能を一層高めることができる。ここでの親水化処理としては、表面に細かい凹凸を形成する物理的処理や紫外線等を照射する化学的処理、或いは親水性の塗料の塗布等を例示できる。
【００２５】
【発明の効果】
以上説明したように、本発明によれば、洗い場床領域の乾燥性能を向上できるとともに、洗い場床領域の摩擦抵抗が高まり、当該洗い場床領域を滑り難くすることができる。
【００２６】
また、前記隆起部に、前記洗い場床領域内に設けられた排水路をバイパスする通路を形成したから、隆起部の存在による排水規制を低減することができる。
【００２７】
更に、前記区画を、一辺の長さが３ｍｍ〜３０ｍｍとなる略方形状に設定し、前記隆起部の最大高さを０．１ｍｍ〜３ｍｍに設定したから、より効果的となる乾燥性能及び滑り難さを洗い場床領域に付与することができる。
【図面の簡単な説明】
【図１】  本発明に係る浴室の床構造が適用された浴室ユニットの床面部分の概略平面図。
【図２】  図１の部分拡大概略斜視図。
【図３】  （Ａ）は、図２のＡ−Ａ線矢視断面図であり、（Ｂ）は、図２のＢ−Ｂ線矢視断面図である。
【図４】  図１の部分拡大平面図。
【図５】  比較例１に係る図４と同様の平面図。
【図６】  試験結果を示す図表。
【図７】  （Ａ）は、変形例に係る隆起部の概略斜視図であり、（Ｂ）は、（Ａ）の隆起部を含む洗い場床領域の部分拡大平面図である。
【図８】  変形例に係る洗い場床領域の部分拡大概略斜視図。
【符号の説明】
１０・・・床面、１４・・・洗い場床領域、１５・・・排水口、１６・・・溝、１７・・・区画、２０・・・隆起部、２１・・・頂部、２８・・・バイパス路（通路）
【図１】
0003957545.tif 000002
【図２】
0003957545.tif 000003
【図３】
0003957545.tif 000004
【図４】
0003957545.tif 000005
【図５】
0003957545.tif 000006
【図６】
0003957545.tif 000007
【図７】
0003957545.tif 000008
【図８】
0003957545.tif 000009